(57)【要約】【課題】キャップを開閉する際、キャップを開けやすく、指の痛みが小さく、握りやすい、キャップを提供する。【解決手段】キャップ１０は、天部１１と、筒部１２と、フランジ部１３と、複数のローレット２０、３０と、を備えている。複数のローレット２０、３０は、互いに周方向に交互に配置された大突起２０と小突起３０とを含み、大突起２０の高さｈ１は、小突起３０の高さｈ２よりも高い。小突起３０は、互いに周方向に隣接する大突起２０同士を繋ぐような曲面で形成されている。【選択図】図１
2019199280.tif 000002
【特許請求の範囲】
【請求項１】
天部と、
前記天部に連結されるとともに、円筒形状を有する筒部と、
前記筒部の周囲に設けられたフランジ部と、
前記筒部の外周において、周方向に沿って設けられた複数のローレットと、を備え、
前記複数のローレットは、互いに周方向に交互に配置された大突起と小突起とを含み、
前記大突起の高さは、前記小突起の高さよりも高く、
前記小突起は、互いに周方向に隣接する前記大突起同士を繋ぐような曲面で形成されている、キャップ。
【請求項２】
前記フランジ部側において、前記小突起上に小ローレットが形成されている、請求項１記載のキャップ。
【請求項３】
前記小ローレットの、前記キャップの中心軸線方向に沿う長さは、前記ローレットの、前記キャップの中心軸線方向に沿う長さよりも短い、請求項２記載のキャップ。
【請求項４】
前記フランジ部の外径が、２０ｍｍ以上３０ｍｍ以下であり、
前記大突起の外径が、２０ｍｍ以上３０ｍｍ以下かつ前記フランジ部の外径以下であり、
前記大突起の、前記筒部の外周面からの高さは、０．５ｍｍ以上１．５ｍｍ以下であり、
前記小突起の、前記筒部の外周面からの高さは、０．４ｍｍ以上０．８ｍｍ以下である、請求項１乃至３のいずれか一項記載のキャップ。
【請求項５】
前記キャップの中心軸線に対して前記大突起が広がる角度は、前記キャップの中心軸線に対して前記小突起が広がる角度よりも小さい、請求項１乃至４のいずれか一項記載のキャップ。
【請求項６】
互いに隣接する前記大突起の頂点と前記小突起の頂点とを結んだ線分の長さが２ｍｍ以上であり、
互いに隣接する前記大突起と前記小突起との間に形成された谷と、前記線分とによって取り囲まれる領域の面積が０．５ｍｍ２以上１．５ｍｍ２以下である、請求項１乃至５のいずれか一項記載のキャップ。
【請求項７】
互いに隣接する一対の大突起の頂点同士を結んだ線分と、前記一対の大突起間に位置する小突起の頂点との距離は、０ｍｍ以上０．３ｍｍ以下である、請求項１乃至６のいずれか一項記載のキャップ。
【発明の詳細な説明】
【技術分野】
【０００１】
本開示は、キャップに関する。
【背景技術】
【０００２】
従来、液体等を充填する容器にはキャップが装着されるものがある。このようなキャップには、キャップを回転して開閉する際に手指が滑らないようにするために、キャップ外周面にキャップの回転方向と直交する向きの縦リブ（ローレット）が一定間隔で刻みつけられている（例えば、特許文献１参照）。
【先行技術文献】
【特許文献】
【０００３】
【特許文献１】特開２００１−３５４２４７号公報
【発明の概要】
【発明が解決しようとする課題】
【０００４】
しかしながら、従来のキャップにおいて、キャップを開閉するときの開けやすさ、指の痛さ、握りやすさの全てを両立させることが難しいという課題がある。
【０００５】
本開示はこのような点を考慮してなされたものであり、キャップを開閉する際、キャップを開けやすく、指の痛みが小さく、握りやすい、キャップを提供する。
【課題を解決するための手段】
【０００６】
一実施の形態によるキャップは、天部と、前記天部に連結されるとともに、円筒形状を有する筒部と、前記筒部の周囲に設けられたフランジ部と、前記筒部の外周において、周方向に沿って設けられた複数のローレットと、を備え、前記複数のローレットは、互いに周方向に交互に配置された大突起と小突起とを含み、前記大突起の高さは、前記小突起の高さよりも高く、前記小突起は、互いに周方向に隣接する前記大突起同士を繋ぐような曲面で形成されている。
【０００７】
一実施の形態によるキャップにおいて、前記フランジ部側において、前記小突起上に小ローレットが形成されていても良い。
【０００８】
一実施の形態によるキャップにおいて、前記小ローレットの、前記キャップの中心軸線方向に沿う長さは、前記ローレットの、前記キャップの中心軸線方向に沿う長さよりも短くても良い。
【０００９】
一実施の形態によるキャップにおいて、前記フランジ部の外径が、２０ｍｍ以上３０ｍｍ以下であり、前記大突起の外径が、２０ｍｍ以上３０ｍｍ以下かつ前記フランジ部の外径以下であり、前記大突起の、前記筒部の外周面からの高さは、０．５ｍｍ以上１．５ｍｍ以下であり、前記小突起の、前記筒部の外周面からの高さは、０．４ｍｍ以上０．８ｍｍ以下であっても良い。
【００１０】
一実施の形態によるキャップにおいて、前記キャップの中心軸線に対して前記大突起が広がる角度は、前記キャップの中心軸線に対して前記小突起が広がる角度よりも小さくても良い。
【００１１】
一実施の形態によるキャップにおいて、互いに隣接する前記大突起の頂点と前記小突起の頂点とを結んだ線分の長さが２ｍｍ以上であり、互いに隣接する前記大突起と前記小突起との間に形成された谷と、前記線分とによって取り囲まれる領域の面積が０．５ｍｍ２以上１．５ｍｍ２以下であっても良い。
【００１２】
一実施の形態によるキャップにおいて、互いに隣接する一対の大突起の頂点同士を結んだ線分と、前記一対の大突起間に位置する小突起の頂点との距離は、０ｍｍ以上０．３ｍｍ以下であっても良い。
【発明の効果】
【００１３】
本開示によれば、キャップを開閉する際、キャップを開けやすく、指の痛みが小さく、握りやすくすることができる。
【図面の簡単な説明】
【００１４】
【図１】図１は、一実施の形態によるキャップを示す斜視図。
【図２】図２は、一実施の形態によるキャップを示す平面図。
【図３】図３は、一実施の形態によるキャップを示す平面図。
【図４】図４は、比較例によるキャップを示す平面図。
【図５】図５は、キャップを開閉するときにおける指の不快感（痛さ）を実施例と比較例とで比較したデータ。
【図６】図６は、キャップを開閉するときにおけるキャップの握りやすさを実施例と比較例とで比較したデータ。
【発明を実施するための形態】
【００１５】
以下、図１乃至図３を参照して、一実施の形態について説明する。図１乃至図３は、それぞれ本実施の形態によるキャップ１０を示す図である。なお、本明細書中、「上」および「下」とは、それぞれキャップ１０の開口部１５側を水平面に接地させた状態（図１）における上方および下方のことをいう。
【００１６】
図１および図２に示すように、キャップ１０は、天部１１と、天部１１に連結された筒部１２と、筒部１２の周囲に設けられたフランジ部１３と、筒部１２の外周において、周方向に沿って設けられた複数のローレット２０、３０と、を備えている。
【００１７】
このうち天部１１は、平面視円形状であり、その円形状の中心はキャップ１０の中心軸線Ｃに一致する。なおキャップ１０の中心軸線Ｃは、キャップ１０の回転方向の中心となる直線である。天部１１の上面は平坦であるが、これに限らず、文字や模様等の凹凸形状が形成されていても良い。
【００１８】
筒部１２は、キャップ１０の中心軸線Ｃと平行に延びる円筒形状を有する。筒部１２は、天部１１から下方に向けて延びるとともに、円筒状の外周面１４を有している。なお、外周面１４とは、ローレット２０、３０が設けられていないと仮定した場合に、筒部１２の表面に形成される仮想面をいう。ローレット２０、３０は、外周面１４から周方向に突出している。また、筒部１２の下端（天部１１の反対側の端部）には、図示しない容器口部を収容する開口部１５が形成されている。なお、筒部１２の内面側には、例えば容器口部に螺着するためのねじ部（図示せず）が形成されていても良い。
【００１９】
フランジ部１３は、筒部１２の下方（開口部１５側）に形成されている。このフランジ部１３は、平面視円環形状であり、全周にわたって筒部１２から径方向外側に突出している。
【００２０】
複数のローレット２０、３０は、互いに周方向に沿って交互に配置された大突起２０と小突起３０とを含んでいる。大突起２０および小突起３０は、それぞれ筒部１２の外周面１４から径方向外側に向けて突出している。また大突起２０および小突起３０は、それぞれキャップ１０の中心軸線Ｃと平行に延びている。この場合、大突起２０および小突起３０は、それぞれ１２個（複数個）ずつ設けられている。また１２個（複数）の大突起２０の形状は互いに同一であり、１２個（複数）の小突起３０の形状は互いに同一である。また、大突起２０は、それぞれ頂点２１を有し、これらの頂点２１は周方向に等間隔に位置している。小突起３０は、それぞれ頂点３１を有し、これらの頂点３１は周方向に等間隔に位置している。
【００２１】
大突起２０の高さｈ１（図３）は、小突起３０の高さｈ２（図３）よりも高くなっている。なお、大突起２０の高さｈ１とは、筒部１２の外周面１４から大突起２０の頂点２１までの距離をいう。同様に、小突起３０の高さｈ２とは、筒部１２の外周面１４から小突起３０の頂点２１までの距離をいう。
【００２２】
このように、互いに隣接する大突起２０同士の間に、大突起２０よりも高さが低い小突起３０が配置されている。これにより、キャップ１０の開閉動作中、キャップ１０を軽く握った際には、互いに隣接する大突起２０、２０と、その間に位置する小突起３０とがちょうど指の腹に触れるため、指にやさしく、キャップ１０を軽い力で開けることができる。一方、キャップ１０を強く握った際には、互いに隣接する大突起２０と小突起３０との間の窪みに指の腹が入り込むので、強いグリップ力が生じ、強い力でキャップ１０の開栓および閉栓を行うことができる。
【００２３】
また、互いに隣接する大突起２０間の角度は３０°であり、互いに隣接する小突起３０間の角度は３０°である。なお、互いに隣接する大突起２０（小突起３０）間の角度とは、キャップ１０の中心軸線Ｃと、互いに隣接する大突起２０（小突起３０）の一対の頂点２１、２１（一対の頂点３１、３１）とがなす角度をいう。
【００２４】
図１に示すように、大突起２０は、フランジ部１３の上面から筒部１２の上下方向略全域にわたって形成されている。大突起２０の長手方向は、キャップ１０の中心軸線Ｃに平行である。また大突起２０の水平断面形状は、略円弧状または略Ｕ字状となっている。大突起２０の上端部（天部１１側端部）２２は、筒部１２の外周面１４側に向けて傾斜している。一方、大突起２０のうち上端部２２を除く領域は、上下方向に沿って略均一な断面形状を有している。なお、本明細書中、大突起２０の寸法に言及するときは、大突起２０の上端部２２を除く領域のことをいう。
【００２５】
小突起３０は、互いに周方向に隣接する大突起２０同士を繋ぐような曲面で形成されている。また小突起３０は、フランジ部１３の上面から筒部１２の上下方向略全域にわたって形成されている。小突起３０の長手方向は、キャップ１０の中心軸線Ｃに平行である。また小突起３０の水平断面形状は、略円弧状または略Ｕ字状となっている。小突起３０の上端部（天部１１側端部）３２は、筒部１２の外周面１４側に傾斜している。一方、小突起３０のうち上端部３２を除く領域は、上下方向に沿って略均一な断面形状を有している。なお、本明細書中、小突起３０の寸法に言及するときは、小突起３０の上端部３２を除く領域のことをいう。
【００２６】
また、小突起３０の下側（フランジ部１３側）において、小突起３０上に小ローレット４０が配置されている。小ローレット４０は、各小突起３０の外面に、それぞれ径方向に突出するように形成されている。小ローレット４０の水平断面形状は、略円弧状または略Ｕ字状となっている。小ローレット４０の数は、小突起３０の数と同一であり、この場合１２個である。
【００２７】
小ローレット４０の、キャップ１０の中心軸線Ｃ方向に沿う長さＡ２は、ローレット２０、３０の、キャップ１０の中心軸線Ｃ方向に沿う長さＡ１よりも短い。具体的には、小ローレット４０の長さＡ２は、ローレット２０、３０の長さＡ１の１０％以上５０％以下としても良い。小ローレット４０の長さＡ２は、例えば２ｍｍ以上１０ｍｍ以下であり、ローレット２０、３０の長さＡ１は、例えば１０ｍｍ以上２０ｍｍ以下である。なお、大突起２０の長さＡ１は、小突起３０の長さＡ１と同一である。また、キャップ１０の高さＨ１（中心軸線Ｃに平行な長さ）は、例えば１０ｍｍ以上２０ｍｍ以下である。
【００２８】
このように、小突起３０上に小ローレット４０が形成されている。このため、キャップ１０を開閉する際、キャップ１０の根元にある小ローレット４０を把持することにより、ローレット２０、３０のグリップ力が増し、さらに強い力でキャップ１０を開閉することが可能となる。
【００２９】
このようなキャップ１０としては、例えばポリプロピレン（ＰＰ）やポリエチレン（ＰＥ）等の合成樹脂により一体に成形された射出成形品を用いても良い。
【００３０】
次に、図３を参照して、キャップ１０の各寸法について説明する。図３は、キャップ１０を示す平面図であり、便宜上、小ローレット４０の表示を省略している。
【００３１】
フランジ部１３の外径Ｄ１は、２０ｍｍ以上３０ｍｍ以下である。なお、フランジ部１３の外径Ｄ１とは、中心軸線Ｃとフランジ部１３の外周とを結ぶ線分を半径とする円の直径の長さをいう。また、大突起２０の外径Ｄ２は、２０ｍｍ以上３０ｍｍ以下かつフランジ部１３の外径Ｄ１以下である（Ｄ２≦Ｄ１）。なお、大突起２０の外径Ｄ２とは、中心軸線Ｃと大突起２０の頂点２１とを結ぶ線分を半径とする円の直径の長さをいう。
【００３２】
大突起２０の、筒部１２の外周面１４からの高さｈ１は、０．５ｍｍ以上１．５ｍｍ以下となっている。なお、大突起２０の、筒部１２の外周面１４からの高さｈ１とは、大突起２０の頂点２１と外周面１４との距離であって、中心軸線Ｃを中心とする円の径方向に測定した距離をいう。
【００３３】
小突起３０の、筒部１２の外周面１４からの高さｈ２は、０．４ｍｍ以上０．８ｍｍ以下である。なお、小突起３０の、筒部１２の外周面１４からの高さｈ２とは、小突起３０の頂点３１と外周面１４との距離であって、中心軸線Ｃを中心とする円の径方向に測定した距離をいう。高さｈ２を０．４ｍｍ以上とすることにより、キャップ１０を開閉する際、指の腹が小突起３０に適度に接触するため、キャップ１０のグリップ性を保持することができる。また、高さｈ２を０．８ｍｍ以下とすることにより、キャップ１０を開閉する際、指の腹が小突起３０に強く当たらないので、指の痛みを軽減することができる。
【００３４】
また、互いに隣接する大突起２０の頂点２１と小突起３０の頂点３１とを結んだ線分Ｌａの長さＬ１は２ｍｍ以上である。さらに、互いに隣接する大突起２０と小突起３０との間に形成された谷と、上記線分Ｌａとによって取り囲まれる領域Ｓの面積は０．５ｍｍ２以上１．５ｍｍ２以下である。線分Ｌａの長さＬ１を２ｍｍ以上とすることにより、キャップ１０を開閉する際、指の腹が領域Ｓに対応する凹部に入り込むため、キャップ１０を強くグリップすることができる。領域Ｓの面積を０．５ｍｍ２以上とすることにより、指の腹が領域Ｓに対応する凹部に入り込むため、高いグリップ力が得られる。また、領域Ｓの面積を１．５ｍｍ２以下とすることにより、指の腹が領域Ｓに対応する凹部に喰い込みすぎないようにすることができる。
【００３５】
キャップ１０の中心軸線Ｃに対して大突起２０が広がる角度θ１は、キャップ１０の中心軸線Ｃに対して小突起３０が広がる角度θ２よりも小さくなっている。すなわち、大突起２０の周方向長さよりも、大突起２０同士の間に位置する小突起３０の周方向長さが広くなっている。角度θ１を角度θ２よりも小さくすることにより、キャップ１０を握った際、小突起３０の外面部分に指が入り込むため、指の腹が必要以上にキャップ１０に食い込むことがない。このため、キャップ１０の開閉時に指の痛みを小さくすることができる。なお、キャップ１０の中心軸線Ｃに対して大突起２０（小突起３０）が広がる角度θ１（θ２）とは、キャップ１０の中心軸線Ｃと大突起２０（小突起３０）の周方向両端部とがなす角度をいう。具体的には、角度θ１は、例えば４°以上１４°以下の範囲とすることができ、角度θ２は、例えば１６°以上２６°以下の範囲とすることができる。また、角度θ２は、角度θ１の１．１倍以上６．５倍以下の範囲とすることができる。
【００３６】
小突起３０の曲率半径Ｒ１は、１ｍｍ以上となっている。この場合、小突起３０の表面がなだらかなので、キャップ１０を開閉する際、指の腹が小突起３０の尖った部分に当たることがなく、指の痛みを軽減することができる。
【００３７】
大突起２０の、大突起２０と小突起３０との間に形成された谷からの高さｈ３は、０．５ｍｍ以上１．５ｍｍ以下となっている。なお、大突起２０の、大突起２０と小突起３０との間に形成された谷からの高さｈ３とは、大突起２０の頂点２１と上記谷の最も深い箇所との距離であって、中心軸線Ｃを中心とする円の径方向に測定した距離をいう。
【００３８】
互いに隣接する一対の大突起２０、２０の頂点２１、２１同士を結んだ線分Ｌｂと、これらの大突起２０、２０間に位置する小突起３０の頂点３１との距離Ｌ２は、０ｍｍ以上０．３ｍｍ以下となっている。なお、距離Ｌ２とは、線分Ｌｂと小突起３０の頂点３１とを、中心軸線Ｃを中心とする円の径方向に測定した距離をいう。距離Ｌ２を０．３ｍｍ以下とすることにより、キャップ１０を開閉する際、指の腹が大突起２０と小突起３０とで構成される面に広い範囲で接触するので、力が特定の箇所に集中せず、指の腹の痛みが軽減される。また、距離Ｌ２を０ｍｍ以上とすることにより、指の腹が大突起２０に指の腹がしっかりと当たるので、キャップ１０をグリップしやすくすることができる。
【００３９】
互いに隣接する大突起２０、２０の頂点２１、２１間の長さＬ３は、３ｍｍ以上１３ｍｍ以下となっている。なお、大突起２０、２０間の長さＬ３とは、互いに隣接する大突起２０、２０の頂点２１、２１同士を結んだ線分Ｌｂの長さをいう。
【００４０】
次に、キャップ１０を開閉するときの作用について述べる。まず、ユーザーは、キャップ１０の外側をグリップする。このとき、ユーザーの指は、互いに隣接する大突起２０同士と、大突起２０よりも高さが低い小突起３０とに接触する。その後、ユーザーは、大突起２０と小突起３０とをグリップして、キャップ１０を所定の回転方向に回転し、キャップ１０を開放または閉鎖する。
【００４１】
本実施の形態によれば、大突起２０同士の間に、大突起２０よりも高さが低い小突起３０が配置されている。この小突起３０は、互いに周方向に隣接する大突起２０同士を繋ぐような曲面で形成されている。また、フランジ部１３の外径Ｄ１が、２０ｍｍ以上３０ｍｍ以下であり、大突起２０の外径Ｄ２が、２０ｍｍ以上３０ｍｍ以下かつフランジ部１３の外径Ｄ１以下となっている。さらに、大突起２０の、筒部１２の外周面１４からの高さｈ１は、０．５ｍｍ以上１．５ｍｍ以下であり、小突起３０の、筒部１２の外周面１４からの高さｈ２は、０．４ｍｍ以上０．８ｍｍ以下である。これにより、キャップ１０の開閉動作中、キャップ１０を軽く握った際には、互いに隣接する大突起２０、２０と、その間に位置し、大突起２０、２０同士を繋ぐ曲面で形成された小突起３０とがちょうど指の腹に触れる。このため、指の腹が特定の箇所に当たることがなく、力が分散されるため、指にやさしく、キャップ１０を軽い力で開けることができる。一方、キャップ１０を強く握った際には、互いに隣接する大突起２０と小突起３０との間の窪みに指の腹が入り込むので、強いグリップ力が生じ、強い力でキャップ１０の開栓および閉栓を行うことができる。
【００４２】
このように本実施の形態によれば、キャップ１０を開閉する際、キャップ１０を開けやすく、指の痛みを軽減するとともに、キャップ１０を握りやすくすることができる。
【実施例】
【００４３】
次に、本実施の形態の具体的実施例を説明する。
【００４４】
まず、以下に挙げる２種類のキャップ（実施例および比較例）を作製した。
【００４５】
（実施例）
図１乃至３に示す本実施の形態によるキャップ１０（実施例）を作製した。このキャップ１０（実施例）において、キャップ１０の各寸法は以下の通りであった。
【００４６】
フランジ部１３の外径Ｄ１：       ２４．７ｍｍ
大突起２０の外径Ｄ２：２４．５ｍｍ
大突起２０の高さｈ１：１．０５ｍｍ
小突起３０の高さｈ２：０．６ｍｍ
大突起２０の、大突起２０と小突起３０との間に形成された谷からの高さｈ３：０．９５ｍｍ
互いに隣接する大突起２０、２０の頂点２１、２１間の長さＬ３：６．３４ｍｍ
互いに隣接する大突起２０間の角度：３０度
互いに隣接する大突起２０の頂点２１と小突起３０の頂点３１とを結んだ線分Ｌａの長さＬ１：３．１７ｍｍ
互いに隣接する一対の大突起２０、２０の頂点２１、２１同士を結んだ線分Ｌｂと、小突起３０の頂点３１との距離Ｌ２：０．０５ｍｍ
互いに隣接する大突起２０と小突起３０との間に形成された谷と、線分Ｌａとによって取り囲まれる領域Ｓの面積：０．９ｍｍ２
大突起２０が広がる角度θ１：８°
小突起３０が広がる角度θ２：２２°
小突起３０の曲率半径Ｒ１：３．４ｍｍ
【００４７】
（比較例）
図４に示すキャップ５０（比較例）を作製した。このキャップ５０は、天部５１と、天部５１に連結された円筒状の筒部５２と、筒部５２の周囲に設けられたフランジ部５３と、筒部５２の外周に設けられた複数の大突起５４と、を備えている。また、互いに隣接する一対の大突起５４間には、小ローレット５５が配置されている。なお、図４に示すキャップ５０（比較例）は、小突起３０が設けられていないこと、以外は上記実施例によるキャップ１０と同様の構成を有している。
【００４８】
上記２種類のキャップ１０（実施例）およびキャップ５０（比較例）をそれぞれ同一の液体紙容器に装着した。続いて、各キャップ１０、５０を開閉するときの痛さ、握りやすさについて、比較検証した。
【００４９】
具体的には、男女１０名（男性５名、女性５名、２０〜４０代）のモニターが、キャップ１０、５０をそれぞれ開閉し、その時の指の不快感（痛さ）および握りやすさについて回答した。
【００５０】
（指の不快感（痛さ））
モニターが、キャップを開閉するときにおける指の不快感（痛さ）を５段階（１：痛い、２：やや痛い、３：どちらでもない、４：やや痛くない、５：痛くない）で評価した。
【００５１】
この結果を図５に示す。図５から明らかなように、キャップを開閉するときの指の不快感（痛さ）については、キャップ１０（実施例）の方がキャップ５０（比較例）よりも大幅に評価が高かった。すなわち、キャップ１０（実施例）の方が、キャップ５０（比較例）よりも開閉時の痛みが少ないと評価された。
【００５２】
（握りやすさ）
モニターが、キャップを開閉するときにおけるキャップの握りやすさを５段階（１：握りにくい、２：やや握りにくい、３：どちらでもない、４：やや握りやすい、５：握りやすい）で評価した。
【００５３】
この結果を図６に示す。図６から明らかなように、キャップを開閉するときの握りやすさについては、キャップ１０（実施例）の方がキャップ５０（比較例）よりも評価が高かった。すなわち、キャップ１０（実施例）の方が、キャップ５０（比較例）よりも握りやすいと評価された。
【００５４】
本発明は上記実施の形態および変形例そのままに限定されるものではなく、実施段階ではその要旨を逸脱しない範囲で構成要素を変形して具体化できる。また、上記実施の形態および変形例に開示されている複数の構成要素の適宜な組み合わせにより、種々の発明を形成できる。実施の形態および変形例に示される全構成要素から幾つかの構成要素を削除してもよい。
【符号の説明】
【００５５】
１０        キャップ
１１        天部
１２        筒部
１３        フランジ部
１４        外周面
１５        開口部
２０        大突起
２１        頂点
２２        上端部
３０        小突起
３１        頂点
３２        上端部
４０        小ローレット
【図１】
2019199280.tif 000003
【図２】
2019199280.tif 000004
【図３】
2019199280.tif 000005
【図４】
2019199280.tif 000006
【図５】
2019199280.tif 000007
【図６】
2019199280.tif 000008